(57)【特許請求の範囲】
【請求項１】
一方の取付部（１）の内側に液室（１２）内に配置されるとともに筒状部（１６ａ）および外向きフランジ部（１６ｃ）を一体に有する撹拌部（１６）を設け、他方の取付部（４）の内側に配置された仕切部（１１）の前記一方の取付部（１）側に前記液室（１２）内に配置されるオリフィス部材（２０）を設け、
前記撹拌部（１６）の外向きフランジ部（１６ｃ）と前記仕切部（１１）とをバウンド方向に対向させて第一のストッパ部（２２）を設け、前記撹拌部（１６）の外向きフランジ部（１６ｃ）と前記オリフィス部材（２０）とをリバウンド方向に対向させて第二のストッパ部（２４）を設け、前記撹拌部（１６）の筒状部（１６ａ）と前記オリフィス部材（２０）とを前記両方向に対して直交する方向に対向させて第三のストッパ部（２６）を設け、前記撹拌部（１６）と前記オリフィス部材（２０）との間に対高周波振動用オリフィス（２７）を設け、
前記撹拌部（１６）における筒状部（１６ａ）の外周面ならびに外向きフランジ部（１６ｃ）の上面、外周面および下面にはゴム状弾性材製の緩衝体（１９）が一体的にかつ膜状に加硫接着されていることを特徴とする液体封入式マウント。
【請求項２】
請求項１の液体封入式マウントにおいて、オリフィス部材（２０）に孔（２０ｅ）を開けて第二の対高周波振動用オリフィス（２８）を設けたことを特徴とする液体封入式マウント。
【発明の詳細な説明】
【０００１】
【発明の属する技術分野】
本発明は、自動車エンジン等の振動体を防振支持するために用いられる液体封入式マウントに関する。
【０００２】
【従来の技術】
図３に示すように、液体封入式マウントには、従来から、液室５１内に撹拌部５２が設けられていて、当該マウントに対して前後左右方向の振動（荷重）が入力したときに、この撹拌部５２がストッパとして当接作動し、これにより弾性体５３が同方向に過度に弾性変形して破損することがないようになっている（特開平６−１２９４７３号公報参照）。
【０００３】
しかしながらこの従来技術には、上下方向の振動入力に対するストッパが設けられていないために、当該マウントに対して上下方向の振動（荷重、特にリバウンド方向の振動）が入力すると、弾性体５３が同方向に過度に弾性変形して破損してしまう虞がある。
【０００４】
【発明が解決しようとする課題】
本発明は以上の点に鑑み、前後左右方向の振動入力に対するストッパのみならず上下方向の振動入力に対するストッパを備え、もって弾性体が破損しにくく、優れた安全性を発揮することが可能な液体封入式マウントを提供することを目的とする。またこれに加えて、広い周波数領域に亙って「低動ばね」を実現し、もって優れた減衰特性ないし防振性能を発揮することが可能な液体封入式マウントを提供することを目的とする。
【０００５】
【課題を解決するための手段】
上記目的を達成するため、本発明の請求項１による液体封入式マウントは、一方の取付部の内側に液室内に配置されるとともに筒状部および外向きフランジ部を一体に有する撹拌部を設け、他方の取付部の内側に配置された仕切部の前記一方の取付部側に前記液室内に配置されるオリフィス部材を設け、前記撹拌部の外向きフランジ部と前記仕切部とをバウンド方向に対向させて第一のストッパ部を設け、前記撹拌部の外向きフランジ部と前記オリフィス部材とをリバウンド方向に対向させて第二のストッパ部を設け、前記撹拌部の筒状部と前記オリフィス部材とを前記両方向に対して直交する方向に対向させて第三のストッパ部を設け、前記撹拌部と前記オリフィス部材との間に対高周波振動用オリフィスを設け、前記撹拌部における筒状部の外周面ならびに外向きフランジ部の上面、外周面および下面にはゴム状弾性材製の緩衝体が一体的にかつ膜状に加硫接着されていることにした。
【０００６】
また本発明の請求項２による液体封入式マウントは、請求項１の液体封入式マウントにおいて、オリフィス部材に孔を開けて第二の対高周波振動用オリフィスを設けることにした。
【０００７】
【作用】
上記構成を備えた本発明の請求項１による液体封入式マウントに対して所定値以上の大きさの下向き（バウンド方向）の振動が入力すると、撹拌部と仕切部とが互いに当接して第一のストッパ部が作動し、これによって弾性体がそれ以上弾性変形するのが停止せしめられる。また当該マウントに対して所定値以上の大きさの上向き（リバウンド方向）の振動が入力すると、撹拌部とオリフィス部材とが互いに当接して第二のストッパ部が作動し、これによって弾性体がそれ以上弾性変形するのが停止せしめられる。また当該マウントに対して所定値以上の大きさの前後左右方向（バウンド方向およびリバウンド方向に対して直交する方向）の振動が入力すると、撹拌部とオリフィス部材とが互いに当接して第三のストッパ部が作動し、これによって弾性体がそれ以上弾性変形するのが停止せしめられる。
【０００８】
またこの請求項１による液体封入式マウントにおいては、撹拌部とオリフィス部材との間に対高周波振動用オリフィスが設けられているために、所定の周波数の高周波振動に対してこのオリフィスが共振作動し、よってこの高周波振動を吸収抑制することが可能である。
【０００９】
またこれに加えて、上記構成を備えた本発明の請求項２による液体封入式マウントにおいては、オリフィス部材に孔が開けられて第二の対高周波振動用オリフィスが設けられているために、上記した請求項１による対高周波振動用オリフィスと共振周波数を異ならせることによって、別の所定の周波数の高周波振動を吸収抑制することが可能である。
【００１０】
【発明の実施の形態】
撹拌部とオリフィス部材とによって、上向きの振動入力時に当接作動する第二のストッパ部と、前後左右方向の振動入力時に当接作動する第三のストッパ部とを双方設けるためには、両者の形状構成を以下のようにするのが好適である。
【００１１】
すなわち、先ず、一方の取付部の下側に設けられる撹拌部に筒状部を設け、この筒状部の下端部に外向きフランジ部を設ける。またこれに対向させて、仕切部の上側に設けられるオリフィス部材に、撹拌部の外向きフランジ部の外周側に配置される環状の支持部を設け、この支持部の上端部に、撹拌部の外向きフランジ部の上側に配置される内向きフランジ部を設け、この内向きフランジ部の内周端部に、撹拌部の筒状部の外周側に配置される筒状部を設ける。そして外向きフランジ部と内向きフランジ部との間、筒状部と筒状部との間にそれぞれ所定の大きさの間隙を設定して、前者を第二のストッパ部、後者を第三のストッパ部とする。
【００１２】
また互いに当接する外向きフランジ部の下面と仕切部の上面の何れか一方または双方、外向きフランジ部の上面と内向きフランジ部の下面の何れか一方または双方、筒状部の外周面と筒状部の内周面の何れか一方または双方にそれぞれゴム状弾性材製の緩衝体を被着すると、各ストッパ部の当接作動時にクッション作用が発揮される。
【００１３】
【実施例】
つぎに本発明の実施例を図面にしたがって説明する。尚、当該実施例は本願の請求項１および２に係る発明についての共通の実施例である。
【００１４】
図１に示すように、センターボス２および取付ボルト３を備えた一方の取付部１と、環状のケース５、カップ状の蓋６および取付ボルト７を備えた他方の取付部４とが環状を呈するゴム状弾性材製の弾性体（ゴム脚とも称する）８を介して接続されており、他方の取付部４にゴム状弾性材製のダイアフラム９がその外周縁部をもって接続され、これらに囲まれて当該マウントの内部に気密空間１０が設けられ、この気密空間１０が、他方の取付部４の内側（内周側）に配置された仕切部（仕切部材、仕切板または第一のオリフィス部材とも称する）１１によって一方の取付部１側（上側）の第一液室（主液室とも称する）１２と、ダイアフラム９側（下側）の第二液室（副液室とも称する）１３とに仕切られ、仕切部１１に両室１２，１３を連通するオリフィス（オリフィス流路とも称する）１４が設けられ、両室１２，１３に粘性流体等の作動液（内封液とも称する）１５が封入されている。オリフィス１４は、当該マウントに低周波大振幅の振動が入力したときに、作動液１５がこのオリフィス１４を通過することによって減衰力を発揮するものである。弾性体８はセンターボス２およびケース５に加硫接着されており、ケース５がその下端部において、仕切部１１、ダイアフラム９および蓋６の各外周縁部を纏めてカシメ固定している。蓋６の内側は図示しない通気孔によって大気開放されている。
【００１５】
センターボス２の内側（下側）に、環状を呈する金属等剛材製の撹拌部（撹拌部材または撹拌板とも称する）１６がホルト１７およびナット１８の締付けによって固定的に取り付けられて、第一液室１２に配置されている。この撹拌部１６は先ず、筒状部１６ａを備えており、この筒状部１６ａの上端部に、センターボス２とナット１８とに挟持される内向きの取付フランジ部１６ｂが一体的に設けられ、筒状部１６ａの下端部に外向きフランジ部１６ｃが一体的に設けられている。筒状部１６ａの内周面および外周面ならびに外向きフランジ部１６ｃの上面、外周面および下面に、ゴム状弾性材製の緩衝体１９が一体的にかつ膜状に加硫接着されている。
【００１６】
仕切部１１の上側に、環状を呈する金属等剛材製のオリフィス部材（第二のオリフィス部材とも称する）２０が、その外周縁部２０ａを仕切部１１、ダイアフラム９および蓋６の各外周縁部と一緒にケース５にカシメ固定されることによって取り付けられて、第一液室１２に配置されている。このオリフィス部材２０は先ず、上記した平板状の外周縁部２０ａを備えており、この外周縁部２０ａの内周端部に、上方へ向けて漸次小径に成形されたテーパ状の支持部２０ｂが一体的に設けられ、この支持部２０ｂの上端部に内向きフランジ部２０ｃが一体的に設けられ、この内向きフランジ部２０ｃの内周端部に筒状部２０ｄが上方へ向けて一体的に設けられている。支持部２０ｂは撹拌部１６の外向きフランジ部１６ｃの外周側に配置され、内向きフランジ部２０ｃは撹拌部１６の外向きフランジ部１６ｃの上側に配置され、筒状部２０ｄは撹拌部１６の筒状部１６ａの外周側に配置されている。
【００１７】
撹拌部１６の外向きフランジ部１６ｃと仕切部１１とが上下方向に対向して、図２に拡大して示すように、当該マウントに上下方向に１Ｇ（初期荷重）が加わった際に、両者１６ｃ，１１の間に所定の大きさｘ１  を備えた環状の間隙２１が設定され、この両者１６ｃ，１１によって環状を呈する第一のストッパ部２２が構成されている。また撹拌部１６の外向きフランジ部１６ｃとオリフィス部材２０の内向きフランジ部２０ｃとが上下方向に対向して、図２に拡大して示すように、当該マウントに上下方向に１Ｇが加わった際に、両者１６ｃ，２０ｃの間に所定の大きさｘ２  を備えた環状の間隙２３が設定され、この両者１６ｃ，２０ｃによって環状を呈する第二のストッパ部２４が構成されている。また撹拌部１６の筒状部１６ａとオリフィス部材２０の筒状部２０ｄとが前後左右方向に対向して、図２に拡大して示すように、両者１６ａ，２０ｄの間に所定の大きさｘ３  を備えた環状の間隙２５が設定され、この両者１６ａ，２０ｄによって環状を呈する第三のストッパ部２６が構成されている。
【００１８】
また第二のストッパ２４における間隙２３と第三のストッパ２６における間隙２５とによって環状を呈する第一の対高周波振動用オリフィス２７が構成され、オリフィス部材２０の支持部２０ｂに所要数の孔２０ｅが開けられ、この孔２０ｅによって第二の対高周波振動用オリフィス２８が構成されている。両オリフィス２７，２８には互いに異なるオリフィス特性が設定されている。
【００１９】
上記構成を備えた液体封入式マウントは、一方の取付部１および他方の取付部４の何れか一方を自動車の車体等の支持体側に接続するとともに他方をエンジン等の被支持体側に接続してこのエンジン等の被支持体を弾性的に支持し、入力振動を主に弾性体８の弾性変形とオリフィス１４を通過する作動液１５の流動抵抗とによって吸収抑制するが、予め定められた特定の周波数の高周波振動（高周波微振動）が入力した場合には、図２に矢印ＡおよびＢで示すように、作動液１５が第一の対高周波振動用オリフィス２７に出入りして共振するために、当該マウントの絶対ばね定数が低く抑えられ、これによりこの高周波振動を有効に吸収抑制することができる。また車速またはエンジンの回転数が変化する等して、異なる周波数（この周波数も予め定められたもの）の高周波振動（高周波微振動）が入力すると、図２に矢印ＣおよびＤで示すように、作動液１５が第二の対高周波振動用オリフィス２８に出入りして共振するために、このときも当該マウントの絶対ばね定数が低く抑えられ、これによりこの高周波振動を有効に吸収抑制することができる。したがってこれらのことから広い周波数領域に亙って当該マウントの「低動ばね」を実現することができ、当該マウントの減衰特性ないし防振性能を向上させることができる。
【００２０】
また上記構成の液体封入式マウントに対して、所定値以上の大きさの下向き（バウンド方向）の振動が入力すると、撹拌部１６の外向きフランジ部１６ｃと仕切部１１とが互いに当接して第一のストッパ部２２が作動し、これによって弾性体８がそれ以上弾性変形するのが停止せしめられる。また当該マウントに対して所定値以上の大きさの上向き（リバウンド方向）の振動が入力すると、撹拌部１６の外向きフランジ部１６ｃとオリフィス部材２０の内向きフランジ部２０ｃとが互いに当接して第二のストッパ部２４が作動し、これによって弾性体８がそれ以上弾性変形するのが停止せしめられる。また当該マウントに対して所定値以上の大きさの前後左右方向（バウンド方向およびリバウンド方向に対して直交する方向）の振動が入力すると、撹拌部１６の筒状部１６ａとオリフィス部材２０の筒状部２０ｄとが互いに当接して第三のストッパ部２６が作動し、これによって弾性体８がそれ以上弾性変形するのが停止せしめられる。したがってこれらのことから弾性体８が過度に弾性変形するのが全方位的に制限され、弾性体８が破損するのが実質的に完全に防止される。したがってこの意味において、優れた安全性ないし耐久性を発揮する防振マウントを提供することができる。
【００２１】
また第一のストッパ部２２が作動するときには、撹拌部１６の外向きフランジ部１６ｃの下面に被着された緩衝体１９がクッション作用を奏し、第二のストッパ部２４が作動するときには、撹拌部１６ｃの外向きフランジ部１６ｃの上面に被着された緩衝体１９がクッション作用を奏し、第三のストッパ部２６が作動するときには、撹拌部１６の筒状部１６ａの外周面に被着された緩衝体１９がクッション作用を奏する。したがってこれらのことから各ストッパ２２，２４，２６の作動に際して衝撃が生じにくく、各ストッパ２２，２４，２６が滑らかに作動する効果がある。
【００２２】
【発明の効果】
本発明は、以下の効果を奏する。
【００２３】
すなわち、先ず、上記構成を備えた本発明の請求項１による液体封入式マウントにおいては、前後左右方向（バウンド方向およびリバウンド方向に対して直交する方向）の振動入力に対するストッパのみならず上下方向（バウンド方向およびリバウンド方向）の振動入力に対するストッパが備えられているために、弾性体が過度に弾性変形するのが全方位的に制限され、弾性体が破損するのが実質的に完全に防止される。したがってこの意味において、優れた安全性ないし耐久性を発揮する防振マウントを提供することができる。
【００２４】
またこれに加えて、上記構成を備えた本発明の請求項２による液体封入式マウントにおいては、第一の対高周波振動用オリフィスのみならず第二の対高周波振動用オリフィスが高周波振動に対して共振作動するために、広い周波数領域に亙って当該マウントの「低動ばね」を実現することができ、当該マウントの減衰特性ないし防振性能を向上させることができる。
【図面の簡単な説明】
【図１】本発明の実施例に係る液体封入式マウントの断面図
【図２】同液体封入式マウントの要部拡大断面図
【図３】従来例に係る液体封入式マウントの断面図
【符号の説明】
１  一方の取付部
２  センターボス
３，７  取付ボルト
４  他方の取付部
５  ケース
６  蓋
８  弾性体
９  ダイアフラム
１０  気密空間
１１  仕切部
１２  第一液室（液室）
１３  第二液室
１４  オリフィス
１５  作動液
１６  撹拌部
１６ａ，２０ｄ  筒状部
１６ｂ  取付フランジ部
１６ｃ  外向きフランジ部
１７  ボルト
１８  ナット
１９  緩衝体
２０  オリフィス部材
２０ａ  外周縁部
２０ｂ  支持部
２０ｃ  内向きフランジ部
２１，２３，２５  間隙
２２  第一のストッパ部
２４  第二のストッパ部
２６  第三のストッパ部
２７  第一の対高周波振動用オリフィス（対高周波振動用オリフィス）
２８  第二の対高周波振動用オリフィス
【図１】
0003567948.tif 000002
【図２】
0003567948.tif 000003
【図３】
0003567948.tif 000004